(57)【要約】 【課題】  銘木、巨木、古木等は、地域における信仰の対象に代表される文化財、また遺伝資源としても重要であり、天然記念物に指定されているものも多い。しかし、その多くは樹齢が高いことから、樹勢が低下するものも多く、場合によっては枯死に至ることがある。樹勢低下の原因ははっきりしない場合も多いが、土木工事等による深植え化、踏圧、地下水位の上昇等により通気性等の土壌条件が悪化することにより樹勢が低下、内部腐朽が進むとともに、さらにそれが要因となって病害を併発している場合が多い。このような場合、樹木の根系周辺の土壌条件を改善することが最も効果的である。【解決手段】  樹木を抜根機やクレーン等を用いて持上げ、持上げた樹木の下に生じる空間に樹木の根系周辺の土壌を投入し対象樹種に適した土壌条件に近付けること、及び浅植え化により実現される樹勢回復法。【選択図】  図１
2009291162.tif 000002
【特許請求の範囲】
【請求項１】
樹木をクレーンや抜根機等を用いて持上げ、持上げた樹木の下に生じる空間に資材を投入し、樹木の根系周辺の土壌を対象樹種に適した土壌条件に近付けることにより実現される樹勢回復法。
【発明の詳細な説明】
【技術分野】
【０００１】
本発明は、銘木、巨木、古木等の価値のある樹木の樹勢回復のための土壌環境改善技術に関する。
【背景技術】
【０００２】
銘木、巨木、古木等は、地域における信仰の対象に代表される文化財、また遺伝資源としても重要であり、天然記念物に指定されているものも多い。しかし、その多くは樹齢が高いことから、樹勢が低下するものも多く、場合によっては枯死に至ることがある。
【０００３】
樹勢低下の原因ははっきりしない場合も多いが、土木工事等による深植え化、踏圧、地下水位の上昇等により通気性等の土壌条件が悪化することにより樹勢が低下、内部腐朽が進むとともに、さらにそれが要因となって病害を併発している場合が多い。
【０００４】
段落［０００３］のような樹木の場合、樹木の根系周辺の土壌条件を改善することが、樹勢回復に最も効果的である。土壌条件の改善を目的として、地表部の土の撤去や入替え、穴を掘りその穴へ木炭等の資材の投入、暗渠や明渠の設置、地中に圧縮空気を注入する方法、竹筒の土壌への挿入等の方法が一般的に用いられている。
【０００５】
段落［０００４］の方法による方法には一定の効果があるが、これらの措置では特に土壌の水分環境に最も影響のある樹体下の土壌を入れ替えることが困難であり、抜本的な土壌環境の改善が実施できない限界がある。
【０００６】
また、［特許文献１］に示すように、圧送ポンプ等によって、新しい土壌を圧送注入する方法が考案されているが、固く締まった土壌にはそのまま適用が困難なこと、注入できる土壌の物理的特性が限定されること等の課題がある。
【０００７】
【特許文献１】特許公開２０００−２６８５９明細書
【発明の開示】
【発明が解決しようとする課題】
【０００８】
本発明は、土壌の物理的特性による制限を大きく受けることなく、価値の高い樹木の土壌環境を、その樹種に適した環境に近付けるための抜本的な方法を提供することにより、当該樹木の樹勢を回復させることを目的とする。
【課題を解決するための手段】
【０００９】
本発明は、クレーン、チェーンブロック、ジャッキアップ、抜根機、棒を用いた梃子の原理による方法等により、樹体そのものを持上げる工程を特徴とする。なお、樹体の持上げに先立ち、根部については根回しや根部の環状剥皮による発根促進、地上部については剪定を必要に応じ実施する。
【００１０】
持上げる高さは、樹体の大きさや根の状態にも依存するが、少なくとも浅植えにしたい高さ以上を持上げる必要がある。この時、事前に十分な根回し等が行われた場合等、樹体が地面から完全に分離されることもある。
【００１１】
樹体を持上げて生じた樹体下の空間に、対象樹種に適した土壌環境に近付けるための資材を投入する。
【００１２】
持上げた樹体を投入した資材の上に下ろすとともに、同一の資材等により根系を養生し、適切に水分・養分を与えて樹体を回復させる。
【００１３】
養生された樹木にその樹種に適した土壌環境に近付けることが可能になり、浅植えになることから、根本的な樹勢回復の効果が期待できる。
【発明の効果】
【００１４】
本発明によれば、価値の高い樹木の土壌環境をその樹種に適した環境に近付けるための抜本的な方法が提供され、樹勢を回復させる効果が得られる。
【発明を実施するための最良の形態】
【００１５】
特に樹勢が衰えた古木等であれば、根系も衰えておりその必要もない場合も多いが、ある程度樹勢がある樹木であり、かつ十分な発根が期待できる土壌条件にある場合は、持上げに先立ち、一年から数ヶ月間前に根回しや根部の環状剥皮による発根促進措置を講じておくことが望ましい。
【００１６】
樹体を持上げることは、程度の差こそあれ根の切断を伴うことから根部に大きな負担が生じ、地下部の水分の吸収と地上部からの水分の蒸散とのバランスが失われることが想定される。そこで、持上げに先立ち、必要に応じ［図１］のＡに示すように地上部を適宜剪定しておくことが望ましい。なお、この剪定は樹体を持上げる作業効率の向上にも寄与する。ただし、落葉樹の落葉期の樹体の持上げ、事前の発根処理の効果が十分に想定される場合、特に樹勢が衰えた古木で葉が極端に少ない場合は必ずしも必要でない。
【００１７】
樹体を持上げる際、腐朽が進み主幹の内部が著しく空洞化している場合は、持上げ工程で主幹部が大きく破損する危険がある。このような場合、主幹を鉄骨等で固定・補強した上で樹体を持上げることが肝要である。
【００１８】
［図１］のＢに示すように、樹木の株元を掘り、横に走る太い支根を露出させ、その下をくぐらせるようにスリングを入れてこれをクレーンで引上げることにより樹体を持上げる。なお、深植えによって樹勢が衰えた老木は、二段根の状態になり元株の腐朽が進んでいる場合が多く、支根を持上げようとすると根株が割れる危険性がある。このような場合、支根ではなく、養生した幹にスリングを掛けることも賢明な選択肢である。また、櫓を組んでチェーンブロックで持上げる方法、ジャッキアップする方法、樹体が大きくなければ抜根機を用いる方法や、株の下部に鉄製の棒等を差込んで梃子の原理を応用して樹体を持上げる方法、パワーショベルを用いる方法も適用可能である。持上げる高さは、樹体の大きさや根の状態にも依存するが、少なくとも浅植えにしたい高さ以上を持上げる必要がある。
【００１９】
なお、樹勢が衰えた古木である等の理由で根回しを行わずに樹体を持上げる場合、健全な根系が予想外に遠くに存在する場合がある。このような場合、健全な根部の主要な部分と樹体とが切り離されないように、注意深く樹体を持上げることが望ましい。健全な根部の主要な部分は、その部分の土壌が好ましい状態にある結果と考えられるので、敢えて堀上げる必要はなく、そのまま養生することが望ましい。
【００２０】
樹体を持上げると、樹体に付随して株近くの土壌も同時に持上げられる。この時、これらの土壌や主幹内部の腐朽部分を洗浄や圧縮空気で取除き、殺菌剤等の薬剤を処理することも可能である。しかし、特に衰弱した樹木の場合、株近くの土壌をそのままにしておくことで、根部への負担を最小限にとどめることも賢明な選択肢である。またこの時、樹勢低下の原因となるガードリングルートの存在が明らかになった場合は、これを適宜除去する。
【００２１】
樹体を持上げた直下に暗渠を敷設することも可能である。一方、樹種や周囲の土壌環境にもよるが、樹体を持上げた直下をより深く掘ることは、樹体直下の地中に意図せず水溜まりを作る結果になる恐れがあり、一般に好ましくない。
【００２２】
樹体を持上げて生じる樹体下の空間に、その樹種に適した土壌条件を再現できる用土等の資材を投入する。投入する資材としては、一般的な樹種であれば通気性と保水性に優れた目詰まりしにくい土壌資材が理想的である。土壌資材の選択に際し、特に樹体が大きく重量がある場合には、粒が樹体の重さによる圧力で容易に崩れて目詰まりする一般の赤玉土のような資材は不適であるので注意を要する。また、未熟な堆肥等の有機物を過剰に投入すると、紋羽病等の病害の原因となるので注意が必要である。なお、樹種によっては好む土壌湿度、土壌ｐＨ、確保すべき通気性の程度等も異なるので、投入する資材は樹種の特性を勘案して適宜調製する必要がある。
【００２３】
樹体を投入した資材の上に下ろし、樹体下に投入した資材等で適宜埋める。この時、多くの資材で埋めて深植えにならないようにする。また適宜潅水し、資材と根部を馴染ませる。
【００２４】
処理後は、株元に藁等を敷くことで過度な乾燥を防ぐ。また、根回し後の持上げ等で支根が完全に切断された場合、強風があたる場所にある場合には、櫓や控木を設置して樹体を固定し、風による倒伏を防ぐことが必須である。なお、櫓や控木を活着後も設置し続けることは幹の弱体化の原因となるので、十分に活着した後、撤去することが望ましい。
【００２５】
処理後対象の樹木が完全に活着するまでの間、天候により適宜潅水を実施する。［図１］のＣに示すように、冬期等の休眠期でなければ、新しい葉が問題なく展開することで活着の確認ができる。活着後は、液肥等を施用することにより、樹勢の回復を早めることができる。ただし、若い根が肥料焼けを起こさないように、濃度や施肥量には極力注意する必要がある。
【００２６】
このように、樹体持上げによる樹勢回復法は、対象樹木に適した土壌環境に近付けること及び浅植え化により、新たな樹勢回復の手段を提供する。
【産業上の利用可能性】
【００２７】
本発明によれば、対象樹木に適した土壌環境に近付けること及び浅植え化により、樹勢の低下した銘木、巨木、古木等の樹木の樹勢を回復させ、その文化的価値や遺伝資源的価値を守ることに寄与することができる。
【図面の簡単な説明】
【００２８】
【図１】樹体持上げによる樹勢回復法の最良の形態の概略を示す模式図である。
【図１】
2009291162.tif 000003